(57)【要約】【課題】防露型照明器具において、光源から出射された光を取り出し効率を落とすことなく拡散し、周囲から当該照明器具を明瞭に視認することができる。【解決手段】防露型照明器具１は、発光ダイオード２を実装した光源基板３と、光源基板３を収納する筐体４と、筐体４の光出射口５に設けられた透明パネル６とを備え、透明パネル６の下側の空間には透明なシリコン材７が充填される。充填されたシリコン材７の透明パネル６に近い上部には、粒状のガラス片１２が多数分散して配置される。シリコン材７とガラス片１２は、両者の屈折率が互いに異なるような材質に選定されている。シリコン材７によって水分が筐体４の内部に浸入することが防止される。発光ダイオード２から出射された光Ｌは、シリコン材７の中を進行する途中で多数の粒状のガラス片１２によって減衰されることなく拡散され、方向が様々に変更された光Ｌｄとなって透明パネル６から出射する。【選択図】図１
2009158146.tif 000002
【特許請求の範囲】
【請求項１】
発光素子を実装した光源基板と、前記光源基板を収納する筐体と、前記筐体の前記光源基板に対向する光出射口に設けられた透明パネルと、を備え、前記光源基板と前記透明パネルとの間に透光性樹脂が充填された防露型照明器具において、
前記透光性樹脂に、該透光性樹脂と屈折率が異なる粒状材料が分散されていることを特徴とする防露型照明器具。
【請求項２】
前記粒状材料は、前記透明パネルの近傍に分散されていることを特徴とする請求項１に記載の防露型照明器具。
【発明の詳細な説明】
【技術分野】
【０００１】
本発明は、防露型照明器具に関する。
【背景技術】
【０００２】
従来から、床や地中に埋設して使用され周囲に多くの水分を含む環境の中で点灯駆動される照明器具があり、このような照明器具（以下、防露型照明器具という）では、光源や点灯回路に湿気、又は水分が到達しないように種々の工夫が施されている。例えば、発光ダイオード等の光源を実装した光源基板全体を透光性樹脂で覆う構造が知られている（例えば、特許文献１参照）。
【０００３】
一方、上記のような床や地中に埋設された防露型照明器具において、光源が発光ダイオード等の点光源であっても当該光源からの光が拡散して出射され、地上を歩行している人が明瞭に該照明器具の照明を視認することができるように構成されたものが知られている。例えば、図４に示したように、光源としての発光ダイオード２１が基板２２上に実装され、その光源基板２２を収納する筐体２３の光出射口２４に設けられた透明パネル２５の下面に乳白色の印刷層２６が施され、透明パネル２５の下側の空間が透光性樹脂２７で充填されたものがある。この防露型照明器具では、充填された透光性樹脂２７によって筐体２３内部への湿気や水分の浸入が防止され、発光ダイオード２１から出射された光Ｌは透光性樹脂２７の中を直進した後、印刷層２６によって拡散されるので、周囲のいずれの方向にいる人からも当該照明器具を明瞭に視認することができる。
【特許文献１】特開２００５−１９１１０号公報
【発明の開示】
【発明が解決しようとする課題】
【０００４】
ところが、図４に示した防露型照明器具では、発光ダイオード２１から出射された光Ｌは乳白色の印刷層２６によって拡散されると同時に減衰されるので、光の取り出し効率が低いという問題がある。そこで透明パネル２５の下面に印刷層２６を施す代わりに上面に細かい凹凸加工を施すことが考えられるが、この場合には当該照明器具の長期の使用により凹凸加工部にごみが付着して、光を拡散させる作用が低下し、また、当該照明器具を水中で使用する場合には、水の屈折率と透明パネル２５の屈折率との差が小さいので有効な拡散作用が得られなくなる。
【０００５】
また、印刷層２６に代えて透明パネル２５の下面に透明なシート状のプリズムを貼着することが考えられるが、この場合にはプリズムによる光の屈折作用を得るためにプリズムと透光性樹脂２７との間に空気層を設けなければならず、該空気層に結露が発生して透明パネル２５の内側に汚れが付着する虞がある。
【０００６】
そこで、本発明は、光源基板と透明パネルとの間に透光性樹脂が充填された防露型照明器具において、光源から出射された光が光の取り出し効率を落とすことなく良好に拡散して、周囲から当該照明器具を明瞭に視認することができ、かつ拡散性能が経年劣化する等のメンテナンス上の問題が発生しない防露型照明器具を提供することを目的とする。
【課題を解決するための手段】
【０００７】
上記目的を達成するために、請求項１の発明は、発光素子を実装した光源基板と、前記光源基板を収納する筐体と、前記筐体の前記光源基板に対向する光出射口に設けられた透明パネルと、を備え、前記光源基板と前記透明パネルとの間に透光性樹脂が充填された防露型照明器具において、前記透光性樹脂に、該透光性樹脂と屈折率が異なる粒状材料が分散されていることを特徴とする。
【０００８】
請求項２の発明は、請求項１に記載の防露型照明器具において、前記粒状材料は、前記透明パネルの近傍に分散されていることを特徴とする。
【発明の効果】
【０００９】
請求項１の発明によれば、光源基板と透明パネルとの間に充填される透光性樹脂に該透光性樹脂と屈折率が異なる粒状材料が分散されるので、発光素子からの光が粒状材料によって減衰することなく拡散されて出射され、周囲から当該照明器具を明瞭に視認することができ、かつ拡散性能が経年劣化することがない。
【００１０】
請求項２の発明によれば、粒状材料が透明パネルの近傍に分散されるので、発光素子からの光が密に集合した粒状材料によってより効率良く拡散される。
【発明を実施するための最良の形態】
【００１１】
以下、本発明の一実施形態に係る防露型照明器具について、図１乃至図３を参照して説明する。本実施形態の防露型照明器具１は、図１及び図２に示されるように、発光ダイオード２（発光素子）を実装した光源基板３と、図示しない支持部材によって光源基板３を底部の中央に収納する円筒状の筐体４と、筐体４の上面に開けられた光出射口５に設けられた透明パネル６と、を備え、透明パネル６の下側の空間には透明なシリコン材（透光性樹脂）７が充填されている。光源基板３の下面の点灯回路８には、コード９を介してＡＣ電源１１が接続されている。
【００１２】
充填されたシリコン材７の透明パネル６に近い上部には、粒状のガラス片１２が多数分散して配置されている。シリコン材の一般的な屈折率は１．４〜１．５であり、ガラスの一般的な屈折率は１．４３〜２．１４であるが、使用するシリコン材７とガラス片１２は、両者の屈折率が互いに異なる材質に選定されている。例えば、屈折率が１．４のシリコン材７と、屈折率が２．０の鉛ガラスが使用される。
【００１３】
透明パネル６に近い位置にガラス片１２が偏って配置された構造は、本防露型照明器具１の製造工程において筐体４内にシリコン材７を充填する方法を次のような２段階に分けて行うことによって得ることができる。いま、筐体４内に光源基板３が収納固定され、シリコン材７が充填されておらず、透明パネル６が光出射口５に取付けられていない状態の工程であるとする。この段階の製造工程において、筐体４内に、まずシリコン材７のみを少なくとも発光ダイオード２の上面が覆われる高さｈまで上方より注入することによって充填する。その後、予めガラス片１２を多数混入しておいたシリコン材７を、先に充填して硬化したシリコン材７の上に注入し充填する。１回目の充填によってシリコン材７のみによる充填層１３が形成され、２回目の充填によってシリコン材７中にガラス片１２が混在した充填層１４が形成される。
【００１４】
なお、シリコン材７に混入する粒状材料はガラス片１２に限られず他の材料であってもよい。例えば、粒状透明ポリスチレン、粒状透明ポリカーボネートであってもよい。透明ポリスチレンの一般的な屈折率は１．５９〜１．６０であり、透明ポリカーボネートの一般的な屈折率は１．５８〜１．５９であるが、いずれの材料であっても、充填するシリコン材７の屈折率とは、異なる屈折率のものを選定する。また、粒状材料の形状は、球形であってもよいし、角を有する他の形状であってもよい。
【００１５】
上記本実施形態の防露型照明器具１においては、地中や水中に設けて使用する場合に、充填したシリコン材７によって湿気や水分が筐体４の内部に浸入することが防止され、発光ダイオード２や点灯回路８に水分が到達することがない。また、発光ダイオード２から出射された光Ｌは、シリコン材７の中を透明パネル６方向へ進行する途中で多数の粒状のガラス片１２によって拡散され、方向が様々に変更された光Ｌｄとなって透明パネル６から出射する。具体的には、シリコン材７の中を進行しガラス片１２に衝突する光Ｌの一部はガラス片１２の表面で反射されて方向を変えられ、他の一部はガラス片１２の内部を貫通して透明パネル６方向へ進行するが、ガラス片１２とシリコン材７とは、屈折率が互いに異なるように材質を選定してあるので、ガラス片１２を貫通して進行する光Ｌも、ガラス片１２とシリコン材７との境界において進行方向が変えられる。
【００１６】
さらに、光Ｌは、ガラス片１２によって反射され、又は屈折されるだけであるので、従来のように透明パネル６に拡散のために乳白色の印刷層を付する構成に比べて、極めて少ない減衰しか生じず、発光ダイオード２から出射された光Ｌは強度をほぼ維持したまま拡散されて本防露型照明器具１の上方へと出射される。従って、本防露型照明器具１の周囲のいずれの方向にいる人からも出射光Ｌｄを明瞭に視認することができる。また、シリコン材７の中に分散されたガラス片１２は経時的に変質するものではないので、長期間に亘って、上記性能を維持することができる。
【００１７】
なお、本実施形態では、筐体４は円筒形であったが、図３に示されるように、直方形であってもよい。さらに、シリコン材７は、ガラス片１２や粒状透明ポリスチレンや粒状透明ポリカーボネートに比較して高価であるので、シリコン材７に上記粒状材料を混入して使用するシリコン材７の量を減らすことによって本防露型照明器具１の製造コストを下げることができる。
【図面の簡単な説明】
【００１８】
【図１】本発明の一実施形態に係る防露型照明器具の縦断正面図。
【図２】同防露型照明器具の斜視図。
【図３】同防露型照明器具の筐体が直方形である場合の斜視図。
【図４】従来の防露型照明器具の縦断正面図。
【符号の説明】
【００１９】
１  防露型照明器具
２  発光ダイオード（発光素子）
３  光源基板
４  筐体
５  光出射口
６  透明パネル
７  シリコン材（透光性樹脂）
１２  ガラス片（粒状材料）
【図１】
2009158146.tif 000003
【図２】
2009158146.tif 000004
【図３】
2009158146.tif 000005
【図４】
2009158146.tif 000006